(57)【要約】【課題】全体構造の簡素化を図りつつ、使い勝手が良好なドアストッパを提供すること。【解決手段】本発明に係るドアストッパＡ１は、永久磁石体１２を収容し、背面側が永久磁石体１２の吸着力によってドアＤに吸着固定されるベース体１と、基端部においてベース体１に対して回動可能に連結されており、ベース体１の正面側に重なり合う不使用状態をとりうる脚体２と、を備える。脚体２には、永久磁石体１２に吸着されうるフレーム２１が設けられており、脚体２は、永久磁石体１２の吸着力によって上記不使用状態で保持されるように構成されている。【選択図】図２
2010281036.tif 000002
【特許請求の範囲】
【請求項１】
永久磁石体を収容し、背面側が上記永久磁石体の吸着力によって被取付体に吸着固定されるベース体と、
基端部において上記ベース体に対して回動可能に連結されており、上記ベース体の正面側に重なり合う不使用状態をとりうる脚体と、を備え、
上記脚体には、上記永久磁石体に吸着されうる磁性部材が設けられており、
上記脚体は、上記永久磁石体の吸着力によって上記不使用状態で保持されるように構成されていることを特徴とする、ドアストッパ。
【請求項２】
上記不使用状態における上記永久磁石体の上記脚体に対する吸着力を調整する吸着力調整手段をさらに備える、請求項１に記載のドアストッパ。
【請求項３】
上記吸着力調整手段は、上記ベース体に設けられた追加の磁性部材を含んで構成されており、
上記追加の磁性部材は、上記永久磁石体と上記磁性部材との間に配置される、請求項２に記載のドアストッパ。
【請求項４】
上記追加の磁性部材は、適所に開口が形成されているとともに、この開口を除いて上記永久磁石体における上記正面側の全域を覆っている、請求項３に記載のドアストッパ。
【請求項５】
上記ベース体は、上記永久磁石体および上記追加の磁性部材が樹脂製またはゴム製のケースに内装された構成とされており、
上記ケースの内面には、上記開口に進入する突起が一体成形されている、請求項４に記載のドアストッパ。
【発明の詳細な説明】
【技術分野】
【０００１】
本発明は、ドアに取り付けて使用されるドアストッパに関する。
【背景技術】
【０００２】
玄関ドア等のスイングドアに取り付けて使用されるドアストッパの一例として、ドアの下端近傍に取り付けられるベース体と、このベース体に対して基端部が回動可能に連結された脚体とを具備する構成のものが知られている。この種のドアストッパにおいて、脚体はその回動動作によって上下に回動させられ、ドアストッパの使用時には、脚体を下方に回動させて当該脚体の先端部を床面に当接させることにより、ドアを所望の開いた状態に保持することができる。ベース体をドアに取り付ける手段としては、接着テープを使用する手段や、永久磁石の吸着力を利用する手段など、種々の手段が採用されている。また、ドアストッパの不使用時には、脚体を、その先端部が地面から離間するように上方に回動させることにより、ドアの開閉動作を支障なく行うことができる。
【０００３】
ドアストッパの不使用時に脚体を地面から離間させた状態で保持するために、ベース体に脚体係合用の突起を設けた構成が開示されている（たとえば特許文献１参照）。かかる構成においては、脚体を突起に係合させて不使用状態で保持することができるが、使用を繰り返すにつれて、突起周辺部の弾性復元力が低下し、あるいは突起が摩耗することによって、脚体が不使用状態で保持されずに不当に回動落下するといった不都合があった。
【０００４】
これに対し、不使用状態での脚体の保持を永久磁石の吸着力を利用して行うものも知られている（たとえば特許文献２参照）。同文献に開示されたドアストッパにおいては、ベース体（本体１）に永久磁石体（磁石体４）が設けられ、脚体（脚杆３）には、上記永久磁石体に吸着されて当接する磁性部材（被吸着体５）が設けられている。ベース体は、背面に設けられた接着テープによってドアに取り付けられる。ドアストッパの不使用時には、脚体をベース体の正面側に重ね合わせると、磁性部材が永久磁石体に吸着されて、脚体が不使用状態で保持される。かかる構成によれば、ドアストッパを反復使用しても、不使用状態での脚体の保持力が低下することはない。
【０００５】
しかしながら、上記特許文献２に開示された構成では、ベース体のドアへの取り付けは接着テープを介して行う一方、脚体の不使用状態での保持は永久磁石の吸着力を利用して行う。このため、全体構造が比較的複雑になり、製造コストの上昇や使い勝手の低下などの不都合が生じ得た。
【先行技術文献】
【特許文献】
【０００６】
【特許文献１】特開平１１−１９０１６３号公報
【特許文献２】特開２０００−１６０９０９号公報
【発明の概要】
【発明が解決しようとする課題】
【０００７】
本発明は、このような事情のもとで考え出されたものであって、ドアに取り付けて使用するドアストッパにおいて、全体構造の簡素化を図りつつ、使い勝手が良好なドアストッパを提供することを課題とする。
【課題を解決するための手段】
【０００８】
上記の課題を解決するため、本発明では、次の技術的手段を講じている。
【０００９】
本発明によって提供されるドアストッパは、永久磁石体を収容し、背面側が上記永久磁石体の吸着力によって被取付体に吸着固定されるベース体と、基端部が上記ベース体に対して回動可能に連結されており、上記ベース体の正面側に重なり合う不使用状態をとりうる脚体と、を備え、上記脚体には、上記永久磁石体に吸着されうる磁性部材が設けられており、上記脚体は、上記永久磁石体の吸着力によって上記不使用状態で保持されるように構成されていることを特徴としている。
【００１０】
このような構成のドアストッパにおいては、ベース体は、このベース体に収容された永久磁石体の吸着力によってたとえば強磁性材料からなるドアなどの被取付体に吸着固定される一方、脚体は、上記永久磁石体の吸着力によってベース体に重なり合う不使用状態で保持される。すなわち、ベース体に収容された永久磁石体の吸着力を利用して、ドア等へのベース体の取り付けと、不使用状態での脚体の保持とを行うことができる。したがって、上記構成のドアストッパによれば、全体構造の簡素化を図るとともに、使い勝手を良好にすることができる。
【００１１】
本発明の好ましい実施の形態においては、上記不使用状態における上記永久磁石体の上記脚体に対する吸着力を調整する吸着力調整手段をさらに備える。このような構成によれば、被取付体にベース体を適切に取り付ける観点から、永久磁石体として相当に大きな吸着力を発揮するものを採用する場合でも、脚体に対する永久磁石体の吸着力が過大とならないように調整することができる。これにより、不使用状態にある脚体を回動させるときには、適度な回動操作力をもって脚体を回動させることができ、使い勝手がより良好となる。
【００１２】
本発明の好ましい実施の形態においては、上記吸着力調整手段は、上記ベース体に設けられた追加の磁性部材を含んで構成されており、上記追加の磁性部材は、上記永久磁石体と上記磁性部材との間に配置される。このような構成によれば、追加の磁性部材によって、脚体に設けられた磁性部材に対する永久磁石体の吸着力を効率よく遮断ないし低減することができる。
【００１３】
本発明の好ましい実施の形態においては、上記追加の磁性部材は、適所に開口が形成されているとともに、この開口を除いて上記永久磁石体における上記正面側の全域を覆っている。このような構成によれば、追加の磁性部材に形成された開口を通じて、永久磁石体の吸着力を脚体に効率よく及ぼすことができる。
【００１４】
本発明の好ましい実施の形態においては、上記ベース体は、上記永久磁石体および上記追加の磁性部材が樹脂製またはゴム製のケースに内装された構成とされており、上記ケースの内面には、上記開口に進入する突起が一体成形されている。
【００１５】
本発明のその他の特徴および利点は、添付図面を参照して以下に行う詳細な説明によって、より明らかとなろう。
【図面の簡単な説明】
【００１６】
【図１】本発明に係るドアストッパの一例を示す全体斜視図である。
【図２】図１に示すドアストッパの縦断面図である。
【図３】図２の要部拡大図である。
【図４】図２のＩＶ−ＩＶ線に沿う断面図である。
【図５】図２のＶ−Ｖ線に沿う断面図である。
【図６】図２のＶＩ−ＶＩ線に沿う要部断面図である。
【図７】図５のＶＩＩ−ＶＩＩ線に沿う要部断面図である。
【図８】本発明に係るドアストッパの他の例を示す図２と同様の断面図である。
【図９】本発明に係るドアストッパの他の例を示す図７と同様の要部断面図である。
【発明を実施するための形態】
【００１７】
以下、本発明の好ましい実施の形態について、図面を参照して具体的に説明する。なお、説明の便宜上、図１を基準として上下の方向を特定することにする。
【００１８】
図１〜図７は、本発明に係るドアストッパの一例を示している。図１に表れているように、本実施形態のドアストッパＡ１は、ベース体１および脚体２を備えて構成されており、たとえば強磁性体材料からなる金属製のドアＤに取り付けて使用するものである。
【００１９】
ベース体１は、ドアＤに取り付けられるものであり、図２に表れているように、ケース１１と、このケース１１に内装された永久磁石体１２およびベースフレーム１３と、を備えている。ケース１１は、図中下端が開放する中空の略直方体状とされており、たとえば天然ゴムによって一体成形されている。図２、図５および図７に表れているように、ケース１１の正面側部分（図２および図５における右側部分）の内面には、複数の突起１１ａが形成されている。図３によく表れているように、ケース１１の下端近傍には、後述するシャフト受け部材３１およびキャップ３２を取り付けるための孔１１ｂ，１１ｃが形成されている。また、ケース１１の下端開放部にはスペーサ１４が嵌められており、このスペーサ１４には、ケース１１の孔１１ｂ，１１ｃに対応する位置に孔１４ａが形成されている。
【００２０】
永久磁石体１２は、平板形状とされており、たとえばフェライト磁石からなる。本実施形態では、永久磁石体１２として、ドアＤにベース体１を適切に取り付けることができるように、比較的大きな吸着力を発揮するものが用いられる。
【００２１】
ベースフレーム１３は、図２および図４に表れているように、断面略コの字形のプレート状とされており、永久磁石体１２の正面１２ａないし側面１２ｂ，１２ｃを囲うように配置されている。ベースフレーム１３は、たとえば鉄や鉄系合金などの強磁性材料からなる。図２、図５および図７に表れているように、ベースフレーム１３の上端寄りには、所定サイズの開口１３ａが形成されており、この開口１３ａには、ケース１１に形成された複数の突起１１ａが進入している。図３によく表れているように、ベースフレーム１３の下端近傍には、ケース１１の孔１１ｂに対応する位置に孔１３ｂが形成されている。ここで、孔１３ｂの上下寸法は、ケース１１の孔１１ｂの上下寸法よりも小とされている。
【００２２】
図２および図４から理解されるように、ベースフレーム１３は、開口１３ａを除いて永久磁石体１２の正面１２ａの全域を覆っている。これにより、ベースフレーム１３の正面側においては、永久磁石体１２の吸着力が低減される。ベースフレーム１３は、本発明でいう吸着力調整手段の一例に相当する。一方、永久磁石体１２の背面１２ｄは、ベースフレーム１３に覆われていない。かかる構成により、ベース体１は、内部に収容された永久磁石体１２の吸着力によって、背面側がドアＤの下端近傍に吸着固定される。
【００２３】
脚体２は、図２に表れているように、フレーム２１、カバー２２、およびキャップ２３を備えて構成されている。図４に表れているように、フレーム２１は、断面略矩形のプレート状とされており、たとえば鉄や鉄系合金などの強磁性材料からなる。図２に表れているように、フレーム２１の先端部（図中上端近傍）は所定角度で折れ曲がっている。
【００２４】
カバー２２は、たとえば天然ゴムによって一体成形されたものであり、フレーム２１を上方の開口２２ａから挿入して収容保持するための凹部２２ｂを有する。カバー２２の内面の適所には、凹部２２ｂに突き出る突起２２ｃが設けられている。突起２２ｃは、フレーム２１に形成された孔２１ａに係合しており、カバー２２に対するフレーム２１の脱落防止が図られている。図３に表れているように、カバー２２の下端には、幅方向（図３における紙面奥行き方向）の両端部を除く領域に切欠き２２ｄが形成されるとともに、たとえばインサート成形によって、上記両端部にシャフト２４が一体に埋設されている。
【００２５】
キャップ２３は、フレーム２１先端の折れ曲り部分を覆うためのものであり、たとえば天然ゴムによって一体成形されている。図２に表れているように、キャップ２３は、フレーム２１先端を嵌入するための凹部２３ａと、凹部２３ａに突き出る突起２３ｂとを有する。突起２３ｂは、フレーム２１に形成された孔２１ｂに係合しており、フレーム２１に対するキャップ２３の脱落防止が図られている。なお、キャップ２３とフレーム２１とは、必要に応じて接着剤を用いて接合してもよい。
【００２６】
また、図６に表れているように、キャップ２３の内面には、幅方向（図６における左右方向）の中央において、先端側から基端側に延びる突出部２３ｃが設けられており、この突出部２３ｃがフレーム２１に形成された切欠き２１ｃに嵌まっている。かかる構成により、キャップ２３に対して外部から左右方向の荷重が作用しても、当該荷重はフレーム２１ないしカバー２２に分散して作用することが期待できるので、強度面で有利である。
【００２７】
なお、脚体２としては、キャップ２３を具備しない構成としてもよい。キャップ２３を具備しない場合、脚体２は、たとえばフレーム２１がインサート成形によってカバー２２に一体に埋設された構成とすることができる。
【００２８】
図２および図３に表れているように、ベース体１には、シャフト２４をその軸心周りに回動可能に支持するためのシャフト受け部材３１が取り付けられている。シャフト受け部材３１は、図３によく表れているように、基端部（図中右端部）においてシャフト２４を包囲するとともに、二股状とされた先端部が脚体２の切欠き２２ｄおよびベース体１の孔１１ｂ，１３ｂ，１４ａに挿通している。そして、シャフト受け部材３１の先端には凹溝状とされた係合部３１ａが設けられており、この係合部３１ａがベースフレーム１３の孔１３ｂに嵌合している。これにより、シャフト受け部材３１は、ベース体１に対して一体的に固定される。そして、シャフト２４は、ベース体１およびシャフト受け部材３１によって回動可能に支持されている。なお、ベース体１の孔１１ｃ，１４ａには、キャップ３２が嵌合しており、このキャップ３２の先端が、シャフト受け部材３１の二股状の先端部間に挿入されている。これにより、シャフト受け部材３１がベース体１から不当に脱落することは防止される。なお、シャフト受け部材３１およびキャップ３２は、たとえばポリアミド樹脂などの所定の強度を有する合成樹脂によって形成されている。
【００２９】
これらから理解されるように、シャフト受け部材３１およびシャフト２３は、ヒンジとして機能しており、脚体２は、ベース体１に対して基端部（図２の下端部）において回動可能に連結されている。
【００３０】
ドアストッパＡ１の不使用時には、脚体２は、図１および図２において実線で表されるように、ベース体１の正面側に重なり合う状態（不使用状態）とされる。ここで、ベース体１に内装されたベースフレーム１３は、永久磁石体１２と脚体２のフレーム２１との間に配置される。したがって、ベースフレーム１３の正面側においては、このベースフレーム１３によって永久磁石体１２の吸着力が遮断ないし低減される。一方、ベースフレーム１３には、フレーム２１に臨む開口１３ａが設けられている。このため、永久磁石体１２の吸着力が開口１３ａを通じて脚体２のフレーム２１に及ぶこととなり、脚体２が不使用状態で保持される。
【００３１】
ドアストッパＡ１の使用時には、脚体２を図１および図２における矢印方向に回動させる。そうすると、仮想線で表されるように、脚体２の先端部（キャップ２３）が床面に当接することになり、ドアＤを所望の開いた状態に保持することができる。
【００３２】
次に、上記したドアストッパＡ１の作用について説明する。
【００３３】
本実施形態のドアストッパＡ１によれば、ベース体１は、その内部に収容された永久磁石体１２の吸着力によってドアＤに吸着固定される。その一方、脚体２は、フレーム２１（磁性部材）を有しており、永久磁石体１２の吸着力によってベース体１に重なり合う不使用状態で保持される。すなわち、ベース体１に収容された永久磁石体１２の吸着力を利用して、ドアＤへのベース体１の取り付けと、不使用状態での脚体２の保持とを兼用して行うことができる。したがって、上記構成のドアストッパＡ１によれば、全体構造の簡素化を図るとともに、使い勝手を良好にすることができる。
【００３４】
本実施形態においては、ベース体１はベースフレーム１３を備え、このベースフレーム１３は、脚体２が不使用状態にあるときに、永久磁石体１２と脚体２のフレーム２１との間に位置する。これにより、ベースフレーム１３は、脚体２に対する永久磁石体１２の吸着力を調整するための吸着力調整手段として機能する。このような構成によれば、ドアＤにベース体１を適切に取り付ける観点から、永久磁石体１２として相当に大きな吸着力を発揮するものを採用する場合でも、脚体２に対する永久磁石体１２の吸着力が過大とならないように調整することができる。これにより、不使用状態にある脚体２を回動させるときには、適度な回動操作力をもって脚体２を回動させることができ、使い勝手がより良好となる。
【００３５】
また、ベースフレーム１３は、強磁性材料からなる磁性部材であるため、ベースフレーム１３によって、脚体２に設けられたフレーム２１に対する永久磁石体１２の吸着力を効率よく遮断ないし低減することができる。したがって、吸着力調整手段を簡易な構成によって実現することができる。
【００３６】
さらに、ベースフレーム１３には開口１３ａが形成されており、ベースフレーム１３は、開口１３ａを除いて永久磁石体１２の正面１２ａの全域を覆っている。このため、永久磁石体１２の吸着力を、ベースフレーム１３によって遮断ないし低減しつつ、開口１３ａを通じて脚体２に効率よく及ぼすことができる。したがって、永久磁石体１２として相当に大きな吸着力を発揮するものを採用する場合でも、開口１３ａの形成位置や形成サイズを最適化することにより、不使用状態にある脚体２を回動させるときには、適度な回動操作力をもって脚体２を回動させることができ、使い勝手がより良好となる。
【００３７】
ベース体１は、天然ゴム製のケース１１に永久磁石体１２およびベースフレーム１３が内装された構成とされている。このため、ドアストッパＡ１をドアＤに取り付ける際にドアＤの表面に傷をつけず、また、取り付け後においては、ベース体１（ドアストッパＡ１）は、ドアＤの表面を滑ることなく安定した状態を保つことができる。また、ベースフレーム１３の開口１３ａには、ケース１１の内面に形成された複数の突起１１ａが進入している。したがって、ケース１１における開口１３ａを覆う部分に外力が作用しても、当該部分が開口１３ａに向けて不当に窪むことはない。
【００３８】
図８および図９は、本発明に係るドアストッパの他の例を示している。なお、図８および図９においては、上記実施形態と同一または類似の要素には、上記実施形態と同一の符号を付しており、適宜説明を省略する。
【００３９】
図８に示されたドアストッパＡ２においては、ベース体１のベースフレーム１３に形成された開口１３ａが、上記実施形態と異なり、複数に分離された構成とされている。また、ベース体１のケース１１には、上記実施形態のような突起１１ａが設けられていない。図９によく表れているように、複数の開口１３ａが形成された領域においては、格子状にベースフレーム１３が形成された格好となっている。このため、ケース１１側に開口１３ａに進入する突起１１ａが設けられていなくても、ケース１１における複数の開口１３ａを覆う部分へ作用する外力によって、当該部分が開口１３ａに向けて不当に窪むことはない。上記構成のドアストッパＡ２によれば、その他にも、上記実施形態のドアストッパＡ１に関して上述したのと同様の作用効果を奏することができる。
【００４０】
以上、本発明の具体的な実施形態を説明したが、本発明はこれに限定されるものではなく、発明の思想から逸脱しない範囲内で種々な変更が可能である。本発明に係るドアストッパの各部の具体的な形状や材質なども、上記実施形態に限定されるものではない。
【００４１】
上記実施形態では、本発明に係るドアストッパを強磁性材料からなるドアに取り付ける場合を例に挙げて説明したが、木製やアルミ製などの非磁性材料からなるドアに適用する場合には、たとえば鉄系金属などの強磁性材料からなる固定板を接着テープなどを介してドアに固定し、当該固定板に対してベース体を吸着固定させればよい。
【符号の説明】
【００４２】
Ａ１，Ａ２    ドアストッパ
Ｄ        ドア（被取付体）
１        ベース体
２        脚体
１１      ケース
１１ａ    突起
１１ｂ，１１ｃ    孔
１２      永久磁石体
１２ａ    正面
１２ｂ，１２ｃ    側面
１２ｄ    背面
１３      ベースフレーム（追加の磁性部材）
１３ａ    開口
１３ｂ    孔
１４      スペーサ
１４ａ    孔
２１      フレーム（磁性部材）
２１ａ，２１ｂ    孔
２１ｃ    切欠き
２２      カバー
２２ａ    開口
２２ｂ    凹部
２２ｃ    突起
２２ｄ    切欠き
２３      キャップ
２３ａ    凹部
２３ｂ    突起
２３ｃ    突出部
２４      シャフト
３１      シャフト受け部材
３２      キャップ
【図１】
2010281036.tif 000003
【図２】
2010281036.tif 000004
【図３】
2010281036.tif 000005
【図４】
2010281036.tif 000006
【図５】
2010281036.tif 000007
【図６】
2010281036.tif 000008
【図７】
2010281036.tif 000009
【図８】
2010281036.tif 000010
【図９】
2010281036.tif 000011